(57)【特許請求の範囲】
【請求項１】
心電図データを測定して記憶する携帯型心電計において、スイッチと、該スイッチの操作に応じて無線で通報する通報手段と、前記スイッチが操作された場合に、記憶した心電図データに基づいて通報すべき事態が発生したか否かを判定する判定手段とを備え、該判定手段により通報すべき事態が発生したと判定した場合、前記通報手段により無線で通報すべくなしてあることを特徴とする携帯型心電計。
【請求項２】
前記判定手段により通報すべき事態が発生していないと判定した場合に、通報すべきか否かの確認を求める旨の情報を出力する出力手段をさらに備え、該出力手段により出力を行った後に、前記スイッチが再度操作された場合、前記通報手段により無線で通報すべくなしてあることを特徴とする請求項１に記載の携帯型心電計。
【請求項３】
加速度データを測定する加速度測定部をさらに備えることを特徴とする請求項１または２の何れかに記載の携帯型心電計。
【発明の詳細な説明】
【０００１】
【発明の属する技術分野】
本発明は、心電図データを測定して記憶する携帯型心電計に関し、特にスイッチの操作に応じて緊急事態が発生した旨を通報する携帯型心電計に関する。
【０００２】
【従来の技術】
心臓疾患を有する患者が日常生活を送りながら心電図データを連続的に測定することができるように、心電計を携帯するタイプにした携帯型心電計が従来から知られている。携帯型心電計が測定して記憶する心電図データは医者に届けられ、医者は届けられた心電図データに基づいて診察を行う。
【０００３】
【発明が解決しようとする課題】
上述した携帯型心電計は、携帯する患者が不整脈を自覚した場合であっても、患者の自宅又は病院等の緊急連絡先へ緊急事態が発生した旨を通報する手段を備えていない。このため、患者の近くに電話等がない場合、又は近くに電話等がある場合であっても患者が電話等にすぐには辿り着けないとき等、患者自身により緊急事態が発生した旨を早急に通報することができないことがあり、これにより、医者等による患者への処置が遅れる可能性がある。
【０００４】
本発明は斯かる事情に鑑みてなされたものであって、その目的とするところは、スイッチと、該スイッチの操作に応じて無線で通報する通報手段とを備えることにより、不整脈等の通報すべき緊急事態が発生した場合に、患者がスイッチを操作するだけで、携帯する患者自身により緊急連絡先へ緊急事態が発生した旨を通報することができる携帯型心電計を提供することにある。
【０００５】
【課題を解決するための手段】
第１発明に係る携帯型心電計は、心電図データを測定して記憶する携帯型心電計において、スイッチと、該スイッチの操作に応じて無線で通報する通報手段と、前記スイッチが操作された場合に、記憶した心電図データに基づいて通報すべき事態が発生したか否かを判定する判定手段とを備え、該判定手段により通報すべき事態が発生したと判定した場合、前記通報手段により無線で通報すべくなしてあることを特徴とする。
【０００６】
第１発明においては、スイッチと、該スイッチの操作に応じて無線で通報する通報手段とを備えることにより、不整脈等の通報すべき緊急事態が発生した場合に、患者がスイッチを操作するだけで、緊急連絡先へ緊急事態が発生した旨を通報することができるので、患者の近くに電話等の通報手段がない場合等にもすぐに通報することができ、これにより、患者に対する迅速な処置を行うことができる。
【０００８】
また、第１発明においては、記憶した心電図データに基づいて通報すべき事態が発生したか否かを判定する手段を備えることにより、患者に不整脈等の緊急事態が実際に発生したか、又は、誤ってスイッチが操作されたかを判定することができるので、スイッチの誤操作による通報を防止することができ、通報の信頼性を向上させることができる。
【０００９】
第２発明に係る携帯型心電計は、第２発明において、前記判定手段により通報すべき事態が発生していないと判定した場合に、通報すべきか否かの確認を求める旨の情報を出力する出力手段をさらに備え、該出力手段により出力を行った後に、前記スイッチが再度操作された場合、前記通報手段により無線で通報すべくなしてあることを特徴とする。
【００１０】
第２発明においては、通報すべき事態が発生していないと判定した場合に、通報すべきか否かの確認を求める旨の情報を出力する出力手段をさらに備えることにより、携帯型心電計を携帯する患者は前記情報が出力されたことに気付き、誤操作ではなく実際に通報しなければならない事態が発生している場合、患者がスイッチを再び操作することで、携帯型心電計は通報を行う。これにより、携帯型心電計が通報すべき事態は発生していないと判定した場合であっても、患者が何らかの自覚症状を感じたときにスイッチを操作して通報することができるので、患者に対する処置を迅速に行うことができる。
【００１１】
第３発明に係る携帯型心電計は、第１または第２発明の何れかにおいて、加速度データを測定する加速度測定部をさらに備えることを特徴とする。
【００１２】
第３発明においては、加速度測定部を備えることにより、携帯型心電計に記憶される心電図データと加速度データと比較することで、患者の心臓の動きと、患者が行う動作によって患者の身体にかかる負荷との相関をとることができるので、その相関に基づいて、医者等が患者に対してより確実な診断を行うことができる。
【００１３】
【発明の実施の形態】
以下、本発明をその実施の形態を示す図面に基づいて説明する。
図１は、本発明に係る携帯型心電計の構成を示すブロック図である。この携帯型心電計１０は、制御部１１、心電図測定部１２、加速度測定部１３、フラッシュメモリ等の内部記憶部１４、メモリカード等を挿入するスロット等の外部記憶部１５、ＰＨＳカード等により無線通信を行う通信部１６、緊急通報スイッチ１７、ＬＥＤ等のランプ１８等を備えている。
【００１４】
制御部１１は、ＭＰＵ等で構成されており、バスを介して上述したハードウェアと接続されていて、内部記憶部１４に格納された携帯型心電計１０の動作に必要なプログラムを実行し、所定の機能を果たす。
【００１５】
心電図測定部１２は、患者の心電図データを測定する手段であり、患者の身体表面に接触させた電極によって検出した心電信号を増幅し、Ａ／Ｄ変換して心電図データを出力する。加速度測定部１３は、患者の動作による加速度の変化を示す加速度データを測定する手段であり、加速度を検出するセンサによって検出した加速度信号を増幅し、Ａ／Ｄ変換して加速度データを出力する。この加速度データは、心電図データと比較することにより、患者の心臓の動きと、患者が行う動作によって患者の身体にかかる負荷との相関をとるために測定される。
【００１６】
心電図測定部１２により測定された心電図データ、及び加速度測定部１３により測定された加速度データは、内部記憶部１４に記憶される。また、内部記憶部１４は、緊急事態が発生した旨を通報する相手先である自宅又は病院の電話番号等の緊急連絡先を記憶する。通信部１６は、無線で通報すべく、内部記憶部１４に記憶される緊急連絡先との通信を行う。
【００１７】
緊急通報スイッチ１７は、患者が不整脈等を自覚することにより緊急事態が発生した旨を通報すべく押下するスイッチである。緊急通報スイッチ１７が押下されると、制御部１１は、内部記憶部１４に記憶された所定時間（例えば、過去５分間）の心電図データに基づいて、通報すべき事態が発生したか否かを判定するようになっている。ランプ１８は、通報すべきか否かの確認を求める旨の情報を出力する手段であり、制御部１１が心電図データに基づいて、通報すべき事態が発生していないと判定した場合に、点滅することによって通報すべきか否かの確認を患者に対して求める。
【００１８】
次に、制御部１１が、内部記憶部１４に記憶された所定時間の心電図データに基づいて、通報すべき事態が発生したか否かを判定する方法について説明する。図４（ａ）に示す波形は、内部記憶部１４に記憶された心電図データを示す心電図波形であり、横軸は時間となっている。この心電図波形を形成する数種類の成分のうち、最も鋭く現われているピークを有するＲ波と呼ばれる成分に注目し、隣り合うＲ波のピーク同志の間隔（Ｒ−Ｒ間隔）により、不整脈が発生したか否かを判定することができる。
【００１９】
制御部１１は、所定時間の心電図データ中に存在するＲ波のピークを検出し、Ｒ−Ｒ間隔を求める。求めたＲ−Ｒ間隔に基づいて、例えば、Ｒ−Ｒ間隔の最大値が予め設定されている最大値の閾値よりも大きい場合、Ｒ−Ｒ間隔の最小値が予め設定されている最小値の閾値よりも小さい場合、又は、Ｒ−Ｒ間隔の平均値が予め設定されている平均値の閾値よりも大きい場合、不整脈が発生しているので、制御部１１は、通報すべき事態が発生したと判定する。このようにして、通報すべき事態が発生したか否かの判定を行う。
【００２０】
次に、本発明に係る携帯型心電計１０の制御部１１の処理手順を、図２に示すフローチャートに基づいて説明する。
【００２１】
制御部１１は、緊急通報スイッチ１７が押下されたか否かを判定し（ステップＳ１）、押下されていないと判定した場合（ステップＳ１：ＮＯ）、押下されたと判定するまで適宜のタイミングで判定を行う。
【００２２】
ステップＳ１において、緊急通報スイッチ１７が押下されたと判定した場合（ステップＳ１：ＹＥＳ）、制御部１１は、内部記憶部１４に記憶された所定時間の心電図データに基づいて、通報すべき事態が発生したか否かを判定する（ステップＳ２）。
【００２３】
ステップＳ２において、通報すべき事態が発生したと判定した場合（ステップＳ２：ＹＥＳ）、制御部１１は、内部記憶部１４に記憶される緊急連絡先との通信を通信部１６に行わせることにより、緊急事態が発生した旨を無線で通報し（ステップＳ３）、処理を終了する。
【００２４】
ステップＳ２において、通報すべき事態が発生していないと判定した場合（ステップＳ２：ＮＯ）、制御部１１は、患者に通報すべきか否かの確認を求めるべく、ランプ１８の点滅を開始する（ステップＳ４）。そして、緊急通報スイッチ１７が再度押下されたか否かを判定し（ステップＳ５）、押下されたと判定した場合（ステップＳ５：ＹＥＳ）、ステップＳ３に処理を進めて無線で通報する。これらの処理により、心電図データ中に不整脈が発生していない場合であっても、患者の何らかの自覚症状による通報を行うことができる。
【００２５】
また、ステップＳ５において、緊急通報スイッチ１７が押下されていないと判定した場合（ステップＳ５：ＮＯ）、ステップＳ４にてランプ１８の点滅を開始してから所定時間が経過したか否かを判定し（ステップＳ６）、経過していないと判定した場合（ステップＳ６：ＮＯ）、ステップＳ５に処理を戻し、緊急通報スイッチ１７が再度押下されたか否か再び判定を行う。ステップＳ６において、所定時間が経過したと判定した場合（ステップＳ６：ＹＥＳ）、制御部１１は、ランプ１８の点滅を停止し（ステップＳ７）、処理を終了する。これらの処理により、緊急通報スイッチ１７の誤操作による通報を防止する。
【００２６】
なお、本実施の形態において、制御部１１が通報すべき事態は発生していないと判定した場合に、通報すべきか否かの確認を求める旨の情報を出力する手段として、携帯型心電計１０はランプ１８を備える形態としたが、これに限定するものでなく、例えば、音を発して確認を求めるスピーカ、又は振動して確認を求めるバイブレータを備える形態であってもよい。
【００２７】
ところで、本発明に係る携帯型心電計１０が備える内部記憶部１４に記憶された心電図データは、外部記憶部１５にてメモリカードに記憶され、メモリカードに記憶された心電図データは、解析装置にて解析される。また、内部記憶部１４に逐次記憶される心電図データを、通信部１６にて解析装置へリアルタイムで送信し、送信される心電図データを解析することにより、解析装置にてリアルタイムで解析が行われる。以下に、上述した心電図データを解析する解析装置について説明する。
【００２８】
図３は、コンピュータを用いてなる解析装置の構成を示すブロック図である。この解析装置２０は公知のコンピュータと同じ構成であり、ＣＰＵからなる制御部２１と、ＲＡＭ２２と、ハードディスク等の内部記憶部２３と、メモリカードを挿入するスロット等の外部記憶部２４とを備えている。内部記憶部２３に記憶され、内部記憶部２３からＲＡＭ２２にロードされるコンピュータプログラムに基づいて、制御部２１は、解析装置２０に必要な処理を実行する。
【００２９】
また、解析装置２０は、オペレータの操作を受け付けるキーボード、マウス及びタッチパネル等の入力部２５と、ＣＲＴディスプレイ又は液晶ディスプレイ等の表示部２６と、ＰＨＳカードによる無線通信等の通信を行う通信部２７とを備えている。
【００３０】
上述した構成の解析装置２０は、携帯型心電計１０の外部記憶部１５にて心電図データを記憶したメモリカードが外部記憶部２４に挿入されることにより、メモリカードが記憶した心電図データを読み込む。また、携帯型心電計１０の内部記憶部１４に記憶される心電図データが通信部１６にて送信されることにより、送信された心電図データを通信部２７にて受信し、内部記憶部２３に記憶することもできる。
【００３１】
解析装置２０は、外部記憶部２４のメモリカード又は内部記憶部２３に記憶される心電図データを読み込んで、表示部２６に、図４（ａ）に示すように心電図波形を表示するとともに、Ｒ波のピークを検出して表示する。そして、検出したＲ波のピークよりＲ−Ｒ間隔を求め、蓄積されたＲ−Ｒ間隔のデータを図４（ｂ）に示すようにグラフ化して表示部２６に表示する。図４（ｂ）のグラフは、横軸に時間、縦軸にＲ−Ｒ間隔をとっている。このような図４（ｂ）のグラフの表示の処理を、リアルタイムで携帯型心電計１０から送信される心電図データに基づいて行うことにより、表示部２６に表示される図４（ｂ）のグラフから、Ｒ−Ｒ間隔の大きさを瞬時に確認することができるので、不整脈が発生しているか否か等の患者の心臓の動きをリアルタイムで認識することができる。これにより、不整脈が発生した場合に、患者に対する処置をより迅速に行うことができる。また、図４（ｂ）のグラフに、予め設定されるＲ−Ｒ間隔の最大値の閾値及び最小値の閾値を示すようにすることで、Ｒ−Ｒ間隔の大きさをさらに明確に確認することができる。
【００３２】
また、入力部２５でのオペレータの入力による、図４（ｂ）に示したグラフ中の所望の時間の範囲の指定を受け付け、指定された範囲のＲ−Ｒ間隔の平均及び標準偏差を求める。入力部２５にて複数の時間の範囲の指定を受け付けることにより、指定された複数の範囲のＲ−Ｒ間隔の平均及び標準偏差を求め、図４（ｃ）に示すようにグラフ化して表示部２６に表示する。図４（ｃ）のグラフは、横軸に指定範囲番号をとり、縦軸にＲ−Ｒ間隔の平均をとっており、Ｒ−Ｒ間隔の平均の大きさを表す棒グラフに、長さにより標準偏差の大きさを表す直線を付して、指定範囲番号毎のＲ−Ｒ間隔の平均及び標準偏差を示している。このように表示部２６に表示することにより、Ｒ−Ｒ間隔の平均の差を瞬時に比較することができ、過去のデータとの比較を容易に行うことができる。
【００３３】
【発明の効果】
第１発明によれば、スイッチと、該スイッチの操作に応じて無線で通報する通報手段とを備えることにより、不整脈等の通報すべき緊急事態が発生した場合に、患者がスイッチを操作するだけで、緊急連絡先へ緊急事態が発生した旨を通報することができるので、患者の近くに電話等の通報手段がない場合等にもすぐに通報することができ、これにより、患者に対する迅速な処置を行うことができる。
【００３４】
第２発明によれば、記憶した心電図データに基づいて通報すべき事態が発生したか否かを判定する手段を備えることにより、患者に不整脈等の緊急事態が実際に発生したか、又は、誤ってスイッチが操作されたかを判定することができるので、スイッチの誤操作による通報を防止することができ、通報の信頼性を向上させることができる。
【００３５】
第３発明によれば、通報すべき事態が発生していないと判定した場合に、通報すべきか否かの確認を求める旨の情報を出力する出力手段をさらに備えることにより、携帯型心電計を携帯する患者は前記情報が出力されたことに気付き、誤操作ではなく実際に通報しなければならない事態が発生している場合、患者がスイッチを再び操作することで、携帯型心電計は通報を行う。これにより、携帯型心電計が通報すべき事態は発生していないと判定した場合であっても、患者が何らかの自覚症状を感じたときにスイッチを操作して通報することができるので、患者に対する処置を迅速に行うことができる。
【００３６】
第４発明によれば、加速度測定部を備えることにより、携帯型心電計に記憶される心電図データと加速度データと比較することで、患者の心臓の動きと、患者が行う動作によって患者の身体にかかる負荷との相関をとることができるので、その相関に基づいて、医者等が患者に対してより確実な診断を行うことができる。
【図面の簡単な説明】
【図１】本発明に係る携帯型心電計の構成を示すブロック図である。
【図２】本発明に係る携帯型心電計の制御部の処理手順を示すフローチャートである。
【図３】心電図データを解析する解析装置の構成を示すブロック図である。
【図４】解析装置に表示される心電図データを示す説明図である。
【符号の説明】
１０  携帯型心電計
１１  制御部
１２  心電図測定部
１３  加速度測定部
１４  内部記憶部
１６  通信部
１７  緊急通報スイッチ
１８  ランプ
【図１】
0003557192.tif 000002
【図２】
0003557192.tif 000003
【図３】
0003557192.tif 000004
【図４】
0003557192.tif 000005